(57)【要約】【課題】ボタン電話装置において無線子機とこの無線子機が載置された無線親機とが親子関係にあるか否かを検出する。【解決手段】ボタン電話装置は、外線２に接続される主装置１０とボタン電話端末とからなり、ボタン電話端末は無線親機２０と無線子機３０とからなる。主装置１０は、第１の無線親機２０に子機載置状態検査の実行を指示する。この指示により、第１の無線親機２０は、載置された無線子機３０への充電を一時停止する。主装置１０は、充電の停止に応じて無線子機３０から発信されるオフフック情報と充電の再開に応じて発信されるオンフック情報とに基づき、無線子機３０とこの無線子機３０が載置された第１の無線親機２０とが親子関係にあるか否かを検出する。【選択図】        図１
2004254108.tif 000002
【特許請求の範囲】
【請求項１】
外線に接続される主装置とこの主装置に接続されかつ制御される複数のボタン電話端末とからなり、前記ボタン電話端末は通信機能を有する無線親機とこの無線親機に収容される無線子機とからなるボタン電話装置において、
複数の前記無線親機のうち第１の無線親機に載置された無線子機への充電を一時停止する充電制御手段と、
この無線子機から前記充電停止に応じて発信されるオフフック情報に基づき、前記無線子機とこの無線子機が載置された前記第１の無線親機とが同一の前記ボタン電話端末を構成する親子関係にあるか否かを検出する第１の検出手段とを備えることを特徴とするボタン電話装置。
【請求項２】
外線に接続される主装置とこの主装置に接続されかつ制御される複数のボタン電話端末とからなり、前記ボタン電話端末は通信機能を有する無線親機とこの無線親機に収容される無線子機とからなるボタン電話装置において、
複数の前記無線親機のうち第１の無線親機に載置された無線子機への充電を一時停止する充電制御手段と、
この無線子機から前記充電の停止に応じて発信されるオフフック情報と前記充電の再開に応じて発信されるオンフック情報とに基づき、前記無線子機とこの無線子機が載置された前記第１の無線親機とが同一の前記ボタン電話端末を構成する親子関係にあるか否かを検出する第２の検出手段とを備えることを特徴とするボタン電話装置。
【請求項３】
請求項１記載のボタン電話装置において、
前記第１の検出手段は、前記第１の無線親機において前記充電が停止していないときに充電電流が検出され、かつこの第１の無線親機において前記オフフック情報の受信が不可能な場合、前記無線子機とこの無線子機が載置された前記第１の無線親機とが親子関係でないと判定することを特徴とするボタン電話装置。
【請求項４】
請求項２記載のボタン電話装置において、
前記第２の検出手段は、前記第１の無線親機と異なる第２の無線親機において前記オフフック情報および前記オンフック情報の受信が可能で、かつ前記第１の無線親機において前記オフフック情報の受信が不可能な場合、前記無線子機とこの無線子機が載置された前記第１の無線親機とが親子関係でないと判定することを特徴とするボタン電話装置。
【請求項５】
請求項４記載のボタン電話装置において、
前記第１の無線親機は、前記充電の停止から所定のオフフック検出時間内に前記オフフック情報を受信し、かつ前記充電の再開から所定のオンフック検出時間内に前記オンフック情報を受信した場合、前記オフフック情報および前記オンフック情報の受信を前記第２の検出手段に通知する受信判定手段を備え、
前記第２の検出手段は、前記充電の停止から所定の異常検出時間内に前記受信判定手段の通知を受けない場合、前記オフフック情報の受信が不可能と判定することを特徴とするボタン電話装置。
【請求項６】
請求項２記載のボタン電話装置において、
前記第２の検出手段により前記無線子機とこの無線子機が載置された前記第１の無線親機とが親子関係でないと判定されたとき、親子関係にない無線子機が載置されている旨を前記第１の無線親機に通知する通知手段と、
前記第２の検出手段により前記無線子機とこの無線子機が載置された前記第１の無線親機とが親子関係でないと判定されたとき、前記無線子機が前記第１の無線親機に誤って載置されている旨を前記第２の無線親機に通知する通知手段とのうち少なくとも１つを備えることを特徴とするボタン電話装置。
【発明の詳細な説明】
【０００１】
【発明の属する技術分野】
本発明は、主装置と複数のボタン電話端末とからなるボタン電話装置に係り、特に無線子機とこの無線子機が載置された無線親機とが同一のボタン電話端末を構成する親子関係にあるか否かを検出するボタン電話装置に関するものである。
【０００２】
【従来の技術】
ボタン電話装置は、外線に接続される主装置とこの主装置に接続されかつ制御されるコードレスタイプのボタン電話端末とからなり、ボタン電話端末は無線親機とこの無線親機に収容される無線子機とからなる。無線親機は、無線回線を介して無線子機と通信を行う。無線子機の電池は無線子機が無線親機に載置されることで充電され、この電池から供給される電力により無線子機が動作する（例えば、特許文献１、特許文献２参照）。なお、出願人は、本明細書に記載した先行技術文献情報で特定される先行技術文献以外には、本発明に関連する先行技術文献を出願時までに発見するには至らなかった。
【０００３】
【特許文献１】
特開平６−１５２５０８号公報
【特許文献２】
特開２０００−３５０２４３号公報
【０００４】
【発明が解決しようとする課題】
しかしながら、従来のボタン電話装置では、無線子機とこの無線子機が載置された無線親機とが同一のボタン電話端末を構成する親子関係にあるか否かを検出することができないという問題点があった。したがって、親子関係にない他の無線親機に無線子機が誤って載置されたとしても、このような誤載置を検出する手段がないため、利用者が無線子機を使おうとする段階になって無線子機が違うことに気付くという問題が生じる。
【０００５】
例えば、特定のボタン電話端末に対する着信である個別着信があった場合、利用者は、このボタン電話端末の着信音を確認して無線子機を持ち上げるが、無線子機とこの無線子機が載置されていた無線親機とが親子関係でないため、無線子機を持ち上げても応答することができない。また、この無線子機は別の無線親機の子機なので、短縮等の登録内容や使用外線など、誤った使い方で不具合が発生する。
【０００６】
本発明は、上記課題を解決するためになされたもので、その目的は、ボタン電話装置において無線子機とこの無線子機が載置された無線親機とが親子関係にあるか否かを検出することにある。
【０００７】
【課題を解決するための手段】
本発明は、外線に接続される主装置とこの主装置に接続されかつ制御される複数のボタン電話端末とからなり、前記ボタン電話端末は通信機能を有する無線親機とこの無線親機に収容される無線子機とからなるボタン電話装置において、複数の前記無線親機のうち第１の無線親機に載置された無線子機への充電を一時停止する充電制御手段と、この無線子機から前記充電停止に応じて発信されるオフフック情報に基づき、前記無線子機とこの無線子機が載置された前記第１の無線親機とが同一の前記ボタン電話端末を構成する親子関係にあるか否かを検出する第１の検出手段とを備えるものである。
また、本発明のボタン電話装置は、複数の前記無線親機のうち第１の無線親機に載置された無線子機への充電を一時停止する充電制御手段と、この無線子機から前記充電の停止に応じて発信されるオフフック情報と前記充電の再開に応じて発信されるオンフック情報とに基づき、前記無線子機とこの無線子機が載置された前記第１の無線親機とが同一の前記ボタン電話端末を構成する親子関係にあるか否かを検出する第２の検出手段とを備えるものである。
【０００８】
また、本発明のボタン電話装置の１構成例において、前記第１の検出手段は、前記第１の無線親機において前記充電が停止していないときに充電電流が検出され、かつこの第１の無線親機において前記オフフック情報の受信が不可能な場合、前記無線子機とこの無線子機が載置された前記第１の無線親機とが親子関係でないと判定するものである。
また、本発明のボタン電話装置の１構成例において、前記第２の検出手段は、前記第１の無線親機と異なる第２の無線親機において前記オフフック情報および前記オンフック情報の受信が可能で、かつ前記第１の無線親機において前記オフフック情報の受信が不可能な場合、前記無線子機とこの無線子機が載置された前記第１の無線親機とが親子関係でないと判定するものである。
【０００９】
また、本発明のボタン電話装置の１構成例において、前記第１の無線親機は、前記充電の停止から所定のオフフック検出時間内に前記オフフック情報を受信し、かつ前記充電の再開から所定のオンフック検出時間内に前記オンフック情報を受信した場合、前記オフフック情報および前記オンフック情報の受信を前記第２の検出手段に通知する受信判定手段を備え、前記第２の検出手段は、前記充電の停止から所定の異常検出時間内に前記受信判定手段の通知を受けない場合、前記オフフック情報の受信が不可能と判定するものである。
【００１０】
また、本発明のボタン電話装置の１構成例は、前記第２の検出手段により前記無線子機とこの無線子機が載置された前記第１の無線親機とが親子関係でないと判定されたとき、親子関係にない無線子機が載置されている旨を前記第１の無線親機に通知する通知手段と、前記第２の検出手段により前記無線子機とこの無線子機が載置された前記第１の無線親機とが親子関係でないと判定されたとき、前記無線子機が前記第１の無線親機に誤って載置されている旨を前記第２の無線親機に通知する通知手段とのうち少なくとも１つを備えるものである。
【００１１】
【発明の実施の形態】
［第１の実施の形態］
以下、本発明の実施の形態について図面を参照して詳細に説明する。図１は本発明の第１の実施の形態となる電話システムの構成を示すブロック図である。本実施の形態の電話システムは、ボタン電話装置１と、図示しない通信網と、この通信網とボタン電話装置１とを接続する外線２とから構成される。
【００１２】
外線２は、ボタン電話装置１と通信相手（不図示）との通信を実現する回線であり、例えばインターネットなどのパケット通信回線のほか、専用回線、電話回線あるいはＩＳＤＮ回線などが用いられる。ボタン電話装置１は、外線２に接続される主装置１０と、この主装置１０に接続されかつ制御されるボタン電話端末とから構成される。そして、ボタン電話端末は、主装置１０との通信機能を有する無線親機２０（２０−１〜２０−ｎ）と、この無線親機２０に収容される無線子機３０（３０−１〜３０−ｎ）からなる。無線親機２０とこれに収容される無線子機３０には、予め同一のＩＤコードが割り当てられ、また同一の内線番号が割り当てられている。
【００１３】
外線２と無線親機２０とを収容する主装置１０は、外線２を介して通信網と接続され、この通信網を介して通信相手と通信を行うことにより、音声通話などの通信サービスを無線親機２０あるいは無線子機３０の利用者へ提供する。この主装置１０は、外線２との接続制御を行う外線インタフェース部１０１と、無線親機２０との接続制御を行う内線インタフェース部１０２と、外線インタフェース部１０１と内線インタフェース部１０２との間に選択的に通話路を閉成して、外線２と無線親機２０とを選択的に接続するスイッチ１０３と、主装置１０の制御全般を一括して行うＣＰＵ１０４と、メモリ１０５とを有している。
【００１４】
メモリ１０５には、ＣＰＵ１０４の動作に必要なプログラム、自装置のＩＤコード、自装置が収容するボタン電話端末（無線親機２０および無線子機３０）のＩＤコード、ボタン電話端末の内線番号、ボタン電話端末の状態情報、およびボタン電話端末の機能設定情報が記憶されている。ＣＰＵ１０４は、メモリ１０５に格納されているプログラムと情報に従って動作し、主装置全体を制御する。
【００１５】
無線親機２０は、内線伝送路４０（４０−１〜４０−Ｎ）を介して主装置１０と通信し、また無線回線５０（５０−１〜５０−Ｎ）を介して無線子機３０と通信する。この無線親機２０は、主装置１０との接続制御を行う内線インタフェース部２０１と、自機が収容する、すなわち自機と親子関係にある無線子機３０との接続制御を行う無線送受信部２０２と、アンテナ２０３と、無線親機２０の制御全般を一括して行うＣＰＵ２０４と、無線親機２０に対して利用者が指示を与えるための操作部２０５と、利用者に対して情報を提示するための表示部２０６と、メモリ２０７と、各種の信号音を発生するトーンリンガ２０８と、増幅器２０９と、スピーカ２１０と、無線子機３０の電池を充電するための出力端子２１１と、無線親機２０の各部に電力を供給すると共に、無線子機３０の電池を充電する電源回路２１２と、電源回路２１２から無線子機３０に流れる充電電流を検出する充電電流検出部２１３とを有している。
【００１６】
メモリ２０７には、ＣＰＵ２０４の動作に必要なプログラム、自機のＩＤコード、自機に割り当てられた内線番号、および子機の状態情報が記憶されている。ＣＰＵ２０４は、メモリ２０７に格納されているプログラムと情報に従って動作し、無線親機全体を制御する。
【００１７】
無線子機３０は、無線回線５０を介して無線親機２０と通信する。この無線子機３０は、自機が収容される無線親機２０との接続制御を行う無線送受信部３０１と、アンテナ３０２と、無線子機３０の制御全般を一括して行うＣＰＵ３０３と、無線子機３０に対して利用者が指示を与えるための操作部３０４と、利用者に対して情報を提示するための表示部３０５と、メモリ３０６と、各種の信号音を発生するトーンリンガ３０７と、増幅器３０８と、スピーカ３０９と、無線子機３０の各部に電力を供給する電池３１０と、無線親機２０からの充電電流を電池３１０に供給するための入力端子３１１と、入力端子３１１間に設けられた抵抗３１２と、入力端子３１１と電池３１０間に設けられた逆流防止用のダイオード３１３と、抵抗３１２の両端電圧を無線親機２０から供給される充電電圧として検出する充電電圧検出部３１４とを有している。
【００１８】
メモリ３０６には、ＣＰＵ３０３の動作に必要なプログラム、および自機のＩＤコードが記憶されている。ＣＰＵ３０３は、メモリ３０６に格納されているプログラムと情報に従って動作し、無線子機全体を制御する。
【００１９】
無線親機２０に無線子機３０が載置されると、無線親機２０の出力端子２１１と無線子機３０の入力端子３１１とが接続され、無線親機２０の電源回路２１２から無線子機３０の電池３１０と抵抗３１２に電流が流れる。無線親機２０の充電電流検出部２１３は、この電流を充電電流として検出する。一方、無線子機３０では、抵抗３１２の両端に電圧が生じるため、充電電圧検出部３１４がこの電圧を充電電圧として検出する。
【００２０】
ここで、利用者が無線子機３０を持ち上げると、無線親機２０の出力端子２１１はオープン状態となり、充電電流が流れなくなる。一方、無線子機３０では、抵抗３１２の両端電圧が低下し、充電電圧検出部３１４がこの変化を充電電圧の低下として検出する。無線子機３０のＣＰＵ３０３は、充電電圧が低下すると、オフフックと見なして、無線親機２０にオフフック情報を送信する。そして、無線親機２０に無線子機３０が再び載置されると、充電電圧が上昇するので、ＣＰＵ３０３は、この充電電圧の上昇をオンフックと見なして、無線親機２０にオンフック情報を送信する。
【００２１】
次に、本実施の形態の電話システムの動作を説明する。主装置１０のＣＰＵ１０４は、無線子機３０とこの無線子機３０が載置された無線親機２０とが同一のボタン電話端末を構成する親子関係にあるか否かを検査する子機載置状態検査の実行を、各無線親機２０−１〜２０−ｎに一定時間毎に繰り返し指示する。ただし、ＣＰＵ１０４は、図２に示すように複数の無線親機２０−１〜２０−ｎのうち子機載置状態検査を実行する無線親機が同一時間内において１機だけとなるように各無線親機２０−１〜２０−ｎに順番に指示を出す。
【００２２】
次に、子機載置状態が正常な場合の動作について図３を用いて説明する。ここでは、無線子機３０−１が無線親機２０−１（第１の無線親機）に載置されている場合の動作について説明する。まず、主装置１０のＣＰＵ１０４は、無線親機２０−１に子機載置状態検査の実行を指示する（図３ステップＳ１０１）。
【００２３】
無線親機２０−１のＣＰＵ２０４と電源回路２１２とは、充電制御手段として無線子機３０への充電を一時停止する。すなわち、ＣＰＵ２０４は、内線インタフェース部２０１を介して主装置１０から子機載置状態検査指示を受信すると、電源回路２１２に指示して、無線子機３０への充電を停止させ（ステップＳ１０２）、オフフック検出タイマーにより計時を開始する（ステップＳ１０３）。このオフフック検出タイマーは、ＣＰＵ２０４がソフトウェアで実現する。
【００２４】
無線親機２０−１に載置された無線子機３０−１では、無線親機２０−１からの充電が停止すると、抵抗３１２の両端電圧が低下するため、充電電圧検出部３１４がこの電圧低下を検出する。そして、充電電圧検出部３１４は、充電電圧が低下したことをＣＰＵ３０３に通知する。無線子機３０−１のＣＰＵ３０３は、充電電圧の低下をオフフックと見なして、メモリ３０６から自機のＩＤコードを読み出し、このＩＤコードとオフフック情報とを無線送受信部３０１を介して無線親機２０−１に送信する（ステップＳ１０４）。すなわち、無線子機３０−１は、無線親機２０−１における充電停止に応じて検出したオフフックをオフフック情報として発信する。
【００２５】
無線親機２０−１のＣＰＵ２０４は、無線送受信部２０２を介して無線子機３０−１からのＩＤコードを受信すると、このＩＤコードをメモリ２０７に記憶されている自機のＩＤコードと比較する。ＣＰＵ２０４は、ＩＤコードが一致しない場合、自機が収容する無線子機３０−１からの送信ではないと判断して無視し、ＩＤコードが一致する場合、自機が収容する無線子機３０−１からの送信と判断して、無線子機３０−１からのオフフック情報を受け付ける。
【００２６】
オフフック情報を受信した無線親機２０−１のＣＰＵ２０４は、オフフック検出タイマーを停止させる（ステップＳ１０５）。続いて、ＣＰＵ２０４は、電源回路２１２に指示して、無線子機３０−１への充電を再開させ（ステップＳ１０６）、オンフック検出タイマーによる計時を開始する（ステップＳ１０７）。このオンフック検出タイマーも、オフフック検出タイマーと同様にソフトウェアで実現される。
【００２７】
無線親機２０−１に載置された無線子機３０−１では、無線親機２０−１からの充電が再開されると、抵抗３１２の両端電圧が上昇するため、充電電圧検出部３１４がこの電圧上昇を検出する。そして、充電電圧検出部３１４は、充電電圧が上昇したことをＣＰＵ３０３に通知する。無線子機３０−１のＣＰＵ３０３は、充電電圧の上昇をオンフックと見なして、オンフック情報を無線親機２０−１に送信する（ステップＳ１０８）。すなわち、無線子機３０−１は、無線親機２０−１における充電の再開に応じて検出したオンフックをオンフック情報として発信する。
【００２８】
無線親機２０−１のＣＰＵ２０４は、無線子機３０−１からのオンフック情報を受け付け、オンフック検出タイマーを停止させる（ステップＳ１０９）。そして、受信判定手段となる無線親機２０−１のＣＰＵ２０４は、子機載置状態検査が正常に終了したことを示す正常終了情報を内線インタフェース部２０１を介して主装置１０に送信する（ステップＳ１１０）。
【００２９】
主装置１０のＣＰＵ１０４（第２の検出手段）は、内線インタフェース部１０２を介して受信した正常終了情報により、無線親機２０−１の子機載置状態が正常であり、無線親機２０−１に無線子機３０−１が載置されていること、すなわち無線子機３０−１とこの無線子機３０−１が載置された無線親機２０−１とが同一のボタン電話端末を構成する親子関係にあることを認識する。
以上で、無線親機２０−１における子機載置状態検査が終了し、主装置１０のＣＰＵ１０４は、ステップＳ１０１と同様にして次の無線親機２０−２に子機載置状態検査の実行を指示する。
【００３０】
なお、ステップＳ１０５の時点で利用者が無線子機３０−１を持ち上げて、操作部３０４を使ってオフフック操作をした場合は、ステップＳ１０４において無線子機３０−１から無線親機２０−１に既にオフフックを通知しているので、再びオフフックが通知されることはない。また、無線子機３０−１が持ち上げられたことから、ステップＳ１０６で充電が再開されても無線子機３０−１の充電電圧が上昇することはなく、ステップＳ１０８のようにオンフックが通知されることはない。
【００３１】
この場合、オンフック検出タイマーによる計時開始（ステップＳ１０７）から所定のオンフック検出タイマータイムアップ時間ＴＯＮが経過して、図４に示すようにオンフック検出タイマータイムアップとなる（ステップＳ１１１）。無線親機２０−１のＣＰＵ２０４は、オフフック通知のみが発生したことから、通常のオフフック操作と判断して、オフフック情報を主装置１０に送信する（ステップＳ１１２）。
【００３２】
次に、子機載置状態が異常な場合、すなわち無線子機が親子関係にない他の無線親機に載置されている場合の動作について図５を用いて説明する。ここでは、無線子機３０−ｎが無線親機２０−１（第１の無線親機）に載置されている場合の動作について説明する。図５のステップＳ２０１，Ｓ２０２，Ｓ２０３の動作は、それぞれステップＳ１０１，Ｓ１０２，Ｓ１０３と同じである。
【００３３】
無線親機２０−１に載置された無線子機３０−ｎでは、ステップＳ２０２により無線親機２０−１からの充電が停止すると、充電電圧検出部３１４が充電電圧の低下をＣＰＵ３０３に通知する。無線子機３０−ｎのＣＰＵ３０３は、充電電圧の低下をオフフックと見なして、自機のＩＤコードとオフフック情報とを無線送受信部３０１を介して無線親機２０−ｎ（第２の無線親機）に送信する（ステップＳ２０４）。
【００３４】
無線親機２０−ｎのＣＰＵ２０４は、無線親機２０−１に載置された無線子機３０−ｎからＩＤコードとオフフック情報とを受信する。無線親機２０−ｎのＣＰＵ２０４は、受信したＩＤコードと自機のＩＤコードとが一致するため、無線子機３０−ｎからのオフフック情報を受け付け、ステップＳ１０７の無線親機２０−１と同様に、オンフック検出タイマーによる計時を開始する（ステップＳ２０５）。このとき、無線親機２０−ｎは、主装置１０から子機載置状態検査の実行を指示されていないので、無線子機３０への充電をオン／オフさせる必要はない。
【００３５】
一方、無線親機２０−１のＣＰＵ２０４は、無線子機３０−ｎからのＩＤコードを受信するが、自機のＩＤコードと一致しないため、自機が収容する無線子機３０−１からの送信ではないと判断して無視する。したがって、無線子機３０−１からのオフフック情報を受信できないので、オフフック検出タイマーによる計時が進行し、ステップＳ２０３の計時開始から所定のオフフック検出タイマータイムアップ時間ＴＯＦＦ  （オフフック検出時間）が経過すると、オフフック検出タイマータイムアップとなる（ステップＳ２０６）。
【００３６】
第１の受信可否判定手段となる無線親機２０−１のＣＰＵ２０４は、無線子機３０−ｎへの充電を再開させるが（ステップＳ２０７）、オフフック検出タイマータイムアップとなったため、子機載置状態検査が異常終了したことを示す異常終了情報を主装置１０に送信する（ステップＳ２０８）。
【００３７】
主装置１０のＣＰＵ１０４は、異常終了情報により、無線親機２０−１の子機載置状態が異常であることを認識する。この異常終了情報の発生は、無線親機２０−１に如何なる無線子機３０も載置されていないか、あるいは無線子機３０−１と異なる他の無線子機３０が無線親機２０−１に載置されていることを示している。
【００３８】
次に、無線親機２０−１に載置された無線子機３０−ｎでは、ステップＳ２０７により無線親機２０−１からの充電が再開されると、充電電圧検出部３１４が充電電圧の上昇をＣＰＵ３０３に通知する。これにより、無線子機３０−ｎのＣＰＵ３０３は、オンフック情報を無線親機２０−ｎに送信する（ステップＳ２０９）。
【００３９】
無線親機２０−ｎのＣＰＵ２０４は、無線子機３０−ｎからのオンフック情報を受け付け、オンフック検出タイマーを停止させる（ステップＳ２１０）。そして、第２の受信可否判定手段となる無線親機２０−ｎのＣＰＵ２０４は、自機が子機載置状態検査を実行している最中でなく、かつオフフック情報を受信して、オンフック検出タイマータイムアップとなる前にオンフック情報を受信したことから、無線子機３０−ｎが他の無線親機２０上に載置されていると判断し、無線子機３０−ｎの載置が誤っていることを示す子機誤載置情報を主装置１０に送信する（ステップＳ２１１）。なお、オンフック検出タイマータイムアップ時間ＴＯＮ（オンフック検出時間）は、オフフック検出タイマータイムアップ時間ＴＯＦＦ  に若干の時間を加えた値となる。
【００４０】
主装置１０のＣＰＵ１０４（第２の検出手段）は、子機載置状態検査の実行を指示した無線親機２０−１から異常終了情報を受信し、指示を与えていない無線親機２０−ｎから子機誤載置情報を受信したので、無線親機２０−１に無線子機３０−ｎが誤って載置されていると認識する。そして、ＣＰＵ１０４は、無線子機３０−ｎが誤って載置されていることを無線親機２０−１に通知する（ステップＳ２１２）。これにより、無線親機２０−１のＣＰＵ２０４は、図６（ａ）に示すように無線子機３０−ｎが誤って載置されていることを示す警告通知を表示部２０６に表示させる。
【００４１】
また、主装置１０のＣＰＵ１０４は、無線子機３０−ｎが無線親機２０−１に誤って載置されていることを無線親機２０−ｎに通知する（ステップＳ２１３）。主装置１０から通知を受けた無線親機２０−ｎのＣＰＵ２０４は、図６（ｂ）に示すように無線子機３０−ｎが無線親機２０−１に誤って載置されていることを示す警告通知を表示部２０６に表示させると共に、別の親機に載置されていることを無線子機３０−ｎに通知する（ステップＳ２１４）。無線親機２０−ｎから通知を受けた無線子機３０−ｎのＣＰＵ３０３は、図６（ｃ）に示すように親機が違うことを示す警告通知を表示部３０５に表示させる。
【００４２】
こうして、無線親機２０−１における子機載置状態検査が終了し、主装置１０のＣＰＵ１０４は、ステップＳ２０１と同様にして次の無線親機２０−２に子機載置状態検査の実行を指示する。なお、異常終了情報のみを受信した場合、ＣＰＵ１０４は、無線親機２０−１に如何なる無線子機３０も載置されていないと判断して、無線親機２０−１における子機載置状態検査を終了する。
【００４３】
以上のように、本実施の形態では、無線子機３０が載置された第１の無線親機２０−１においてオフフック情報の受信が可能かどうかの判定と、第１の無線親機２０−１と異なる第２の無線親機２０−ｎにおいてオフフック情報およびオンフック情報の受信が可能かどうかの判定により、主装置１０のＣＰＵ１０４は、無線子機３０とこの無線子機３０が載置された第１の無線親機２０−１とが親子関係にあるか否かを検出することができる。
【００４４】
また、主装置１０のＣＰＵ１０４は、各無線親機２０に子機載置状態検査の実行を順次指示することにより、どの無線子機３０がどの無線親機２０に載せられているかを管理することができる。
さらに、主装置１０のＣＰＵ１０４（通知手段）は、無線子機３０−ｎが誤って載置されていることを第１の無線親機２０−１に通知し、無線子機３０−ｎが無線親機２０−１に誤って載置されていることを第２の無線親機２０−ｎに通知するので、利用者が無線子機３０−ｎを使おうとする段階よりも前に無線子機３０−ｎが誤って載置されていることを利用者に警告することができ、利用者が無線子機３０−ｎを使おうとする段階になって使用不可等の問題が生じることを回避できる。
【００４５】
［第２の実施の形態］
次に、本発明の第２の実施の形態について説明する。本実施の形態においても電話システムの構成は第１の実施の形態と同じであるので、図１の符号を用いて説明する。子機載置状態が正常な場合の動作は第１の実施の形態と同じであり、子機載置状態が異常な場合の動作を図７を用いて説明する。
【００４６】
主装置１０のＣＰＵ１０４は、無線親機２０−１に子機載置状態検査の実行を指示した後（図７ステップＳ３０１）、異常検出タイマーにより計時を開始する（ステップＳ３０２）。この異常検出タイマーは、ＣＰＵ１０４がソフトウェアで実現する。ステップＳ３０３，Ｓ３０４，Ｓ３０５，Ｓ３０６，Ｓ３０７，Ｓ３０８，Ｓ３１０，Ｓ３１１，Ｓ３１２の動作は、それぞれステップＳ２０２，Ｓ２０３，Ｓ２０４，Ｓ２０５，Ｓ２０６，Ｓ２０７，Ｓ２０９，Ｓ２１０，Ｓ２１１と同じである。
【００４７】
本実施の形態の無線親機２０−１のＣＰＵ２０４（受信判定手段）は、オフフック検出タイマーがタイムアップとなっても、異常終了情報を主装置１０に送信しない。一方、主装置１０の異常検出タイマータイムアップ時間（異常検出時間）は、各無線親機２０のオフフック検出タイマータイムアップ時間ＴＯＦＦ  とオンフック検出タイマータイムアップ時間ＴＯＮとの和に若干の時間を加えた値に設定されている。
【００４８】
無線親機２０−１は第１の実施の形態で説明した異常終了と同様の状態で子機載置状態検査を終えており、主装置１０では、異常検出タイマーによる計時開始から異常検出タイマータイムアップ時間内に正常終了情報を受信できないため、タイムアップとなる（ステップＳ３０９）。
【００４９】
この異常検出タイマーのタイムアップは、異常終了情報の発生と同様に、無線親機２０−１に如何なる無線子機３０も載置されていないか、あるいは無線子機３０−１と異なる他の無線子機３０が無線親機２０−１に載置されていることを示している。
【００５０】
したがって、主装置１０のＣＰＵ１０４（第２の検出手段）は、異常検出タイマーがタイムアップとなり、かつ無線親機２０−ｎから子機誤載置情報を受信した場合、無線親機２０−１に無線子機３０−ｎが誤って載置されていると認識し、ステップＳ３１３，Ｓ３１４の処理を行って無線親機２０−１における子機載置状態検査を終了する。ステップＳ３１３，Ｓ３１４，Ｓ３１５の動作は、ステップＳ２１２，Ｓ２１３，Ｓ２１４と同じである。
【００５１】
こうして、本実施の形態の主装置１０は、充電の停止から所定の異常検出時間内に正常終了情報を受信できた場合には、子機載置状態検査が正常終了したと判断し、異常検出時間内に正常終了情報を受信できなかった場合には、子機載置状態検査が異常終了したと判断する。これにより、本実施の形態では、無線親機２０の異常終了情報を用いることなく、第１の実施の形態と同じ効果を得ることができる。
【００５２】
［第３の実施の形態］
次に、本発明の第３の実施の形態について説明する。本実施の形態においても電話システムの構成は第１の実施の形態と同じであるので、図１の符号を用いて説明する。第１、第２の実施の形態では、無線子機３０とこの無線子機３０が載置された無線親機２０とが親子関係にあるか否かを主装置１０で検出していたのに対し、本実施の形態ではこの検出を無線親機２０で行う。このため、各無線親機２０のＣＰＵ２０４は、主装置１０から子機載置状態検査の実行指示を受ける前に、充電電流検出部２１３に指示して、電源回路２１２から無線子機３０に流れる充電電流を検出させる。
【００５３】
子機載置状態が正常な場合の動作は、第１の実施の形態とほぼ同様である。無線親機２０−１のＣＰＵ２０４（第１の検出手段）は、充電電流検出により無線子機３０が載置されていることを検出する。ただし、載置された子機が無線親機３０−１かどうかは不明である。ここで、図３のステップＳ１０１〜Ｓ１０９の動作により子機載置状態検査が正常終了すれば、ＣＰＵ２０４は、載置された子機が無線子機３０−１であると認識する。そして、ＣＰＵ２０４は、子機載置状態が正常であることを主装置１０に通知する。
【００５４】
図８は子機載置状態が異常な場合の動作を示すシーケンス図である。前述のように、無線親機２０−１のＣＰＵ２０４は、主装置１０から子機載置状態検査指示を受ける前に、充電電流検出部２１３に指示して充電電流を検出させる（図８ステップＳ４０１）。
【００５５】
無線親機２０−１に無線子機３０が載置されている場合、無線親機２０−１の出力端子２１１と無線子機３０の入力端子３１１とが接続され、無線親機２０−１の電源回路２１２から無線子機３０の電池３１０と抵抗３１２に電流が流れる。そして、無線親機２０−１の充電電流検出部２１３は、充電電流を検出したことをＣＰＵ２０４に通知する。
【００５６】
一方、無線親機２０−１に無線子機３０が載置されていない場合、無線親機２０−１の出力端子２１１はオープン状態となり、充電電流が流れない。したがって、充電電流検出部２１３は、充電電流を検出できないことをＣＰＵ２０４に通知する。こうして、無線親機２０−１に無線子機３０が載置されているか否かを充電電流の有り無しにより検出することができる。
【００５７】
ステップＳ４０２，Ｓ４０３，Ｓ４０４，Ｓ４０５、Ｓ４０６の動作は、それぞれステップＳ２０１，Ｓ２０２，Ｓ２０３，Ｓ２０６，Ｓ２０７と同じである。無線親機２０−１のＣＰＵ２０４は、ステップＳ４０１の充電電流検出により無線子機３０が載置されていることを検出し、かつオフフック検出タイマーがタイムアップとなった場合、無線子機３０−１と異なる他の無線子機３０が誤って載置されていると認識して、図９に示すように子機が違うことを示す警告通知を表示部２０６に表示させると共に、別の子機が載置されていることを主装置１０に通知する（ステップＳ４０７）。
【００５８】
ステップＳ４０１で充電電流を検出できない場合、無線親機２０−１のＣＰＵ２０４は、如何なる無線子機３０も載置されていないと判断する。この場合には、通知や警告といった処理を行う必要はない。
【００５９】
以上の動作により、本実施の形態では、無線子機３０とこの無線子機３０が載置された第１の無線親機２０−１とが親子関係にあるか否かを第１の無線親機単独で検出することができる。ただし、本実施の形態では、子機載置状態が正常か異常かの判断は可能であるが、子機載置状態が異常な場合、第１の無線親機２０−１の上にどの無線子機３０が載置されているかについては第１の無線親機単独では判断できない。
【００６０】
なお、第１〜第３の実施の形態では、各無線親機２０が主装置１０から子機載置状態検査の実行指示を受けるようにしているが、これに限るものではなく、子機載置状態検査を実行すべきか否かを各無線親機２０のＣＰＵ２０４が一定時間毎に主装置１０に問い合わせ、主装置１０から検査を実行すべき旨の回答を得た無線親機２０が第１の無線親機として子機載置状態検査を実行するようにしてもよい。
【００６１】
また、子機載置状態検査の実行を主装置１０で管理することは必須の要件ではなく、各無線親機２０のＣＰＵ２０４が子機載置状態検査を実行すべきか否かを独自に判断するようにしてもよい。この場合には、複数の無線親機２０−１〜２０−ｎのうち子機載置状態検査を実行する第１の無線親機が同一時間内において１機だけとなるようにすればよい。
【００６２】
【発明の効果】
本発明によれば、複数の無線親機のうち第１の無線親機に載置された無線子機への充電を一時停止する充電制御手段と、この無線子機から充電停止に応じて発信されるオフフック情報に基づき、無線子機とこの無線子機が載置された第１の無線親機とが同一のボタン電話端末を構成する親子関係にあるか否かを検出する第１の検出手段とを設けることにより、無線子機とこの無線子機が載置された第１の無線親機とが親子関係にあるか否かを検出することができ、無線子機が誤って載置された場合、この誤載置を検出することができる。その結果、利用者が無線子機を使おうとする段階よりも前に無線子機が違うことを警告することができ、利用者が無線子機を使おうとする段階になって使用不可や誤操作等の問題が生じることを回避でき、使い勝手を向上させることができる。
【００６３】
また、複数の無線親機のうち第１の無線親機に載置された無線子機への充電を一時停止する充電制御手段と、この無線子機から充電の停止に応じて発信されるオフフック情報と充電の再開に応じて発信されるオンフック情報とに基づき、無線子機とこの無線子機が載置された第１の無線親機とが同一のボタン電話端末を構成する親子関係にあるか否かを検出する第２の検出手段とを設けることにより、無線子機とこの無線子機が載置された第１の無線親機とが親子関係にあるか否かを検出することができ、無線子機が誤って載置された場合、この誤載置を検出することができる。その結果、利用者が無線子機を使おうとする段階よりも前に無線子機が違うことを警告することができ、利用者が無線子機を使おうとする段階になって使用不可や誤操作等の問題が生じることを回避でき、使い勝手を向上させることができる。
【００６４】
また、無線子機が載置された第１の無線親機において充電が停止していないときに充電電流が検出されるかどうかの判定と、この第１の無線親機においてオフフック情報の受信が可能かどうかの判定により、第１の検出手段は、無線子機とこの無線子機が載置された第１の無線親機とが親子関係にあるか否かを容易に検出することができる。
【００６５】
また、第１の無線親機と異なる第２の無線親機においてオフフック情報およびオンフック情報の受信が可能かどうかの判定と、第１の無線親機においてオフフック情報の受信が可能かどうかの判定により、第２の検出手段は、無線子機とこの無線子機が載置された第１の無線親機とが親子関係にあるか否かを容易に検出することができる。
【００６６】
また、第２の検出手段により無線子機とこの無線子機が載置された第１の無線親機とが親子関係でないと判定されたとき、親子関係にない無線子機が載置されている旨を第１の無線親機に通知する通知手段を設けることにより、無線子機が誤って載置された場合、利用者が無線子機を使おうとする段階よりも前に無線子機が違うことを利用者に警告することができる。
【００６７】
また、第２の検出手段により無線子機とこの無線子機が載置された第１の無線親機とが親子関係でないと判定されたとき、無線子機が第１の無線親機に誤って載置されている旨を第２の無線親機に通知する通知手段を設けることにより、無線子機が誤って載置された場合、利用者が無線子機を使おうとする段階よりも前に無線子機が違うことを利用者に警告することができる。
【図面の簡単な説明】
【図１】本発明の第１の実施の形態となる電話システムの構成を示すブロック図である。
【図２】本発明の第１の実施の形態において主装置から送信される子機載置状態検査指示の概要を示すシーケンス図である。
【図３】本発明の第１の実施の形態において子機載置状態が正常な場合の動作を示すシーケンス図である。
【図４】本発明の第１の実施の形態において子機載置状態検査の最中に通常のオフフック操作が行われた場合の動作を示すシーケンス図である。
【図５】本発明の第１の実施の形態において子機載置状態が異常な場合の動作を示すシーケンス図である。
【図６】子機載置状態が異常な場合に無線親機および無線子機に表示される警告通知の例を示す図である。
【図７】本発明の第２の実施の形態において子機載置状態が異常な場合の動作を示すシーケンス図である。
【図８】本発明の第３の実施の形態において子機載置状態が異常な場合の動作を示すシーケンス図である。
【図９】子機載置状態が異常な場合に無線親機に表示される警告通知の例を示す図である。
【符号の説明】
１…ボタン電話装置、２…外線、１０…主装置、２０…無線親機、３０…無線子機、４０…内線伝送路、５０…無線回線。
【図１】
2004254108.tif 000003
【図２】
2004254108.tif 000004
【図３】
2004254108.tif 000005
【図４】
2004254108.tif 000006
【図５】
2004254108.tif 000007
【図６】
2004254108.tif 000008
【図７】
2004254108.tif 000009
【図８】
2004254108.tif 000010
【図９】
2004254108.tif 000011